(57)【要約】【課題】アンテナを備えるアンテナ内蔵式電子時計において、アンテナの良好な受信性能を確保しつつ、アンテナを設けることによるデザイン性の低下を小さく抑える。【解決手段】表示機構収納部８０及びアンテナ収納部９０を有する外装ケースと、表示機構収納部８０に収納され、情報を表示可能な表示部と、アンテナ収納部９０に収納されたアンテナ体４０と、を備え、表示機構収納部８０は、少なくとも一部が導電性材料より形成され、アンテナ収納部９０は、側部９３と、導電性材料より形成された底面部９２と、少なくとも一部が非導電性材料より形成された上面部９１と、を具備する、ことを特徴とする電子時計１００。【選択図】図３
2014206424.tif 000002
【特許請求の範囲】
【請求項１】
第１収納部及び第２収納部を有する外装ケースと、
前記第１収納部に収納され、情報を表示可能な表示部と、
前記第２収納部に収納されたアンテナ体と、
を備え、
前記第１収納部は、
少なくとも一部が導電性材料より形成され、
前記第２収納部は、
導電性材料より形成された底面部と、
少なくとも一部が非導電性材料より形成された上面部と、
を具備する、
ことを特徴とするアンテナ内蔵式電子時計。
【請求項２】
前記アンテナ体は、
誘電体と、
前記誘電体の面上に設けられ導電性材料より形成されたアンテナ素子と、
を備える平面アンテナである、
ことを特徴とする、請求項１に記載のアンテナ内蔵式電子時計。
【請求項３】
前記第１収納部は、
導電性材料より形成されたケース胴を備え、
前記底面部は、
前記ケース胴と一体に形成されている、
ことを特徴とする、請求項２に記載のアンテナ内蔵式電子時計。
【請求項４】
前記アンテナ体は、
導電性材料より形成されるアンテナ基板を備え、
前記アンテナ基板は、
前記底面部と電気的に接続される、
ことを特徴とする、請求項２または３に記載のアンテナ内蔵式電子時計。
【請求項５】
前記第２収納部は、
前記底面部と前記上面部との間に設けられ導電性材料より形成された側部を具備し、
前記アンテナ素子と、前記側部との間の距離は、２ｍｍ以上離れている、
ことを特徴とする、請求項２乃至４のうち何れか１項に記載のアンテナ内蔵式電子時計。
【請求項６】
前記上面部は、
導電性材料より形成された第１上面部と、
非導電性材料より形成された第２上面部と、
を備え、
前記アンテナ素子は、
前記アンテナ内蔵式電子時計を平面視したときに、
所定の方向に延在する第１辺及び第２辺を有し、
前記第１上面部は、
前記アンテナ内蔵式電子時計を平面視したときに、
前記第１辺及び前記第２辺の間に位置するように設けられる、
ことを特徴とする、請求項２乃至５のうち何れか１項に記載のアンテナ内蔵式電子時計。
【請求項７】
前記第１収納部に収納され、前記アンテナ体で受信した情報に基づいて前記表示部の動作を制御する制御部と、
前記側部と前記第１収納部が備えるケース胴とを貫通する貫通孔を通り、前記アンテナ素子と前記制御部とを電気的に接続する接続配線と、
を備える、
ことを特徴とする、請求項５に記載のアンテナ内蔵式電子時計。
【請求項８】
前記外装ケースは、
前記アンテナ内蔵式時計の利用者が当該アンテナ内蔵式時計を装着するために用いるバンドを当該外装ケースに取り付けるための２つのバンド取付部を備え、
前記２つのバンド取付部の各々は、
前記バンドに接続される１対の突出部を具備し、
前記第２収納部は、
前記２つのバンド取付部のうち、一方のバンド取付部が備える１対の突出部の間に設けられる、
ことを特徴とする、請求項１乃至７のうち何れか１項に記載のアンテナ内蔵式電子時計。
【請求項９】
前記２つのバンド取付部は、
前記アンテナ内蔵式電子時計を平面視したときに、
前記表示部の６時方向と、１２時方向とに設けられ、
前記第２収納部は、
前記表示部の６時方向に設けられるバンド取付部が備える１対の突出部の間に設けられる、
ことを特徴とする、請求項８に記載のアンテナ内蔵式電子時計。
【発明の詳細な説明】
【技術分野】
【０００１】
本発明は、アンテナを内蔵したアンテナ内蔵式電子時計に関する。
【背景技術】
【０００２】
近年、ＧＰＳ（Global Positioning System）衛星等の位置情報衛星からの電波を受信して時刻補正を行う電子時計が開発されている。特許文献１には、時刻を表示可能な表示部と、表示部を駆動する駆動機構と、表示部及び駆動機構が収納されるケース内に収納され、位置情報衛星からの電波を受信するアンテナと、を備える電子時計が開示されている。
【先行技術文献】
【特許文献】
【０００３】
【特許文献１】特開２０１２−１１８０４５号公報
【発明の概要】
【発明が解決しようとする課題】
【０００４】
表示部が収納されるケース内にアンテナを収納する場合、アンテナの受信性能を確保するために、アンテナを駆動機構よりも表面側に配置することが好ましい。また、電子時計のデザイン性を確保するために、アンテナの表面側を表示部やダイヤルリング等で覆うことが好ましい。
このため、アンテナを設ける場合に、電子時計の厚みが増し、電子時計のデザイン性が低下するという問題があった。
【０００５】
本発明は上述した事情に鑑みてなされたものであり、アンテナ内蔵式電子時計において、アンテナの良好な受信性能を確保しつつ、アンテナを設けることによるデザイン性の低下を小さく抑えることを解決課題とする。
【課題を解決するための手段】
【０００６】
以上の課題を解決するため、本発明に係るアンテナ内蔵式電子時計は、第１収納部及び第２収納部を有する外装ケースと、前記第１収納部に収納され、情報を表示可能な表示部と、前記第２収納部に収納されたアンテナ体と、を備え、前記第１収納部は、少なくとも一部が導電性材料より形成され、前記第２収納部は、導電性材料より形成された底面部と、少なくとも一部が非導電性材料より形成された上面部と、を具備する、ことを特徴とする。
【０００７】
この発明によれば、表示部が収納される第１収納部とは別に設けられる第２収納部にアンテナ体が収納されるため、表示部が収納される第１収納部の薄型化または小型化が可能となる。このため、アンテナ内蔵式電子時計のデザイン性を向上させることが可能となる。
また、この発明によれば、上面部が非導電性材料より形成されるため、アンテナ体が受信する電波が上面部により吸収または反射されることを防止し、アンテナ体の良好な受信性能を確保することが可能となる。
更に、この発明によれば、底面部が導電性材料より形成されるため、底面部をアンテナ体のグランドプレーンとして機能させることができ、アンテナ体の良好な受信性能を確保することが可能となる。
【０００８】
また、上述したアンテナ内蔵式電子時計において、前記アンテナ体は、誘電体と、前記誘電体の面上に設けられ導電性材料より形成されたアンテナ素子と、を備える平面アンテナである、ことが好ましい。
【０００９】
また、上述したアンテナ内蔵式電子時計において、前記第１収納部は、導電性材料より形成されたケース胴を備え、前記底面部は、前記ケース胴と一体に形成されている、ことが好ましい。
この態様によれば、底面部に加えてケース胴をアンテナ体のグランドプレーンとして機能させることができるため、アンテナ体の良好な受信性能を確保することが可能となる。
【００１０】
また、上述したアンテナ内蔵式電子時計において、前記アンテナ体は、導電性材料より形成されるアンテナ基板を備え、前記アンテナ基板は、前記底面部と電気的に接続される、ことが好ましい。
この態様によれば、アンテナ基板及び底面部が、アンテナ体のグランドプレーンとして機能するため、アンテナ体の良好な受信性能を確保することが可能となる。
なお、前記アンテナ基板は、前記底面部と一体に形成されるものであってもよい。
【００１１】
また、上述したアンテナ内蔵式電子時計において、前記第２収納部は、前記底面部と前記上面部との間に設けられ導電性材料より形成された側部を具備し、前記アンテナ素子と、前記側部との間の距離は、２ｍｍ以上離れている、ことが好ましい。
この態様によれば、アンテナ体が受信する電波が、側部により吸収または反射される可能性を低く抑えることができるため、アンテナ体の良好な受信性能を確保することが可能となる。
なお、この態様において、前記側部及び底面部は、前記ケース胴と一体に形成されるものであってもよい。例えば、前記第２収納部は、前記ケース胴に凹部を設け、前記凹部を前記上面部により覆うことにより形成されるものであってもよい。この場合、前記側部は、当該凹部の側面部分であり、前記底面部は当該凹部の底面部分である。
【００１２】
また、上述したアンテナ内蔵式電子時計において、前記上面部は、導電性材料より形成された第１上面部と、非導電性材料より形成された第２上面部と、を備え、前記アンテナ素子は、前記アンテナ内蔵式電子時計を平面視したときに、所定の方向に延在する第１辺及び第２辺を有し、前記第１上面部は、前記アンテナ内蔵式電子時計を平面視したときに、前記第１辺及び前記第２辺の間に位置するように設けられる、ことが好ましい。
【００１３】
この態様によれば、上面部の一部を金属等の導電性材料により形成するため、上面部の全部を非導電性材料により形成される場合に比較して、デザイン上の制約を緩和することができ、アンテナ内蔵式電子時計のデザイン上の自由度を高めることができる。
また、この態様によれば、第１辺及び第２辺の上部を、非導電性材料より形成される第２上面部により覆うため、電波が導電性の材料により形成される第１上面部により電波が吸収または反射されることによるアンテナ体の受信性能の低下の程度を小さく抑えることができる。
【００１４】
また、上述したアンテナ内蔵式電子時計は、前記第１収納部に収納され、前記アンテナ体で受信した情報に基づいて前記表示部の動作を制御する制御部と、前記側部及び前記ケース胴を貫通する貫通孔を通り、前記アンテナ素子と前記制御部とを電気的に接続する接続配線と、を備える、ことが好ましい。
【００１５】
また、上述したアンテナ内蔵式電子時計において、前記外装ケースは、前記アンテナ内蔵式時計の利用者が当該アンテナ内蔵式時計を装着するために用いるバンドを当該外装ケースに取り付けるための２つのバンド取付部を備え、前記２つのバンド取付部の各々は、前記バンドに接続される１対の突出部を具備し、前記第２収納部は、前記２つのバンド取付部のうち、一方のバンド取付部が備える１対の突出部の間に設けられる、ことが好ましい。
【００１６】
バンド取付部が備える１対の突出部（カン）の間の空間は、特定の目的のために利用されることは稀であり、通常、空洞または外装ケースの有する金属が設けられるに過ぎない、謂わば用途の無い空間である。
この態様によれば、このような用途の無い空間に対して第２収納部を設け、ここにアンテナ体を収納するため、アンテナ内蔵式電子時計を大型化することなく、アンテナ体を設けることが可能となる。
この態様において、前記バンド取付部は、前記ケース胴と一体に形成される、ことを特徴とするものであってもよい。
【００１７】
また、上述したアンテナ内蔵式電子時計において、前記２つのバンド取付部は、前記アンテナ内蔵式電子時計を平面視したときに、前記表示部の６時方向と、１２時方向とに設けられ、前記第２収納部は、前記表示部の６時方向に設けられるバンド取付部が備える１対の突出部の間に設けられる、ことが好ましい。
【００１８】
アンテナ内蔵式電子は、通常、屋外において電波を受信する。また、アンテナ内蔵式電子時計は、屋外では、利用者の腕に装着されていることが多く、この場合、表示部の６時方向が、１２時方向に比べて、天頂方向に近い向きとなっていることが多い。
この態様によれば、アンテナ体が収納される第２収納部を、表示部の６時方向に設ける。このため、屋外において、アンテナ体が、アンテナ内蔵式電子時計の中で天頂に近い位置に位置した状態となる可能性を高くすることができ、アンテナ体の安定した受信性能を確保することが可能となる。
【図面の簡単な説明】
【００１９】
【図１】本発明の実施形態に係るアンテナ内蔵式電子時計（電子時計）１００を含むＧＰＳシステムの全体図である。
【図２】電子時計１００の平面図である。
【図３】電子時計１００の要部断面図である。
【図４】電子時計１００の一部の分解斜視図である。
【図５】電子時計１００の一部の分解斜視図である。
【図６】電子時計１００の一部の平面図である。
【図７】パッチアンテナの動作原理を説明するための説明図である。
【図８】腕に装着された状態の電子時計１００の姿勢を説明するための説明図である。
【図９】対比例に係る電子時計１００Ｔの要部断面図である。
【図１０】対比例に係る電子時計１００Ｔの一部の分解斜視図である。
【図１１】電子時計１００の回路構成を示すブロック図である。
【図１２】変形例１に係る電子時計の一部の分解斜視図である。
【図１３】変形例１に係る電子時計の一部の平面図である。
【図１４】変形例２に係るアンテナ体４０ｂの斜視図である。
【図１５】変形例３に係る電子時計の斜視図である。
【図１６】変形例４に係る電子時計１００Ｄの平面図である。
【発明を実施するための形態】
【００２０】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２１】
＜Ａ．実施形態＞
＜１：アンテナ内蔵式電子時計の構造＞
図１は、本発明の実施形態に係るアンテナ内蔵式電子時計１００（以下「電子時計１００」という）を含むＧＰＳシステムの全体図である。電子時計１００は、複数のＧＰＳ衛星２００の少なくとも１つからの電波（無線信号）を受信して内部時刻を修正する腕時計であり、腕に接触する面（以下、「裏面」という）の反対側の面（以下「表面」という）に時刻を表示する。
【００２２】
ＧＰＳ衛星２００は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
なお、本実施形態において電子時計１００は、ＧＰＳシステムが備えるＧＰＳ衛星２００からの電波を受信するものであるが、ＧＰＳシステムは衛星測位システムの一例である。本発明は、ＧＰＳシステムの他に、ガリレオ（EU）、GLONASS（ロシア）、北斗（中国）等の全地球的航法衛星システム（GNSS）、SBAS等の静止衛星、または、準天頂衛星等、時刻情報を含む衛星信号を発信する位置情報衛星を備える、ＧＰＳシステム以外の衛星測位システムを使用することができる。すなわち、電子時計１００は、ＧＰＳ衛星２００以外の衛星を含む位置情報衛星からの電波（無線信号）を受信して内部時刻を修正する腕時計であってもよい。
【００２３】
現在、約３１個のＧＰＳ衛星２００（図１においては、約３１個のうち４個のみを図示）が存在している。各ＧＰＳ衛星２００は、衛星信号がどのＧＰＳ衛星２００から送信されたかを識別するために、Ｃ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、衛星信号と各Ｃ／Ａコードのパターンの相関をとることにより、衛星信号に重畳されているＣ／Ａコードを検出することができる。
【００２４】
ＧＰＳ衛星２００は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星２００に搭載されている原子時計のわずかな時刻誤差が測定されており、衛星信号にはその時刻誤差を補正するための時刻補正パラメータも含まれている。電子時計１００は、１つのＧＰＳ衛星２００から送信された衛星信号を受信し、その中に含まれるＧＰＳ時刻情報と時刻補正パラメータを使用して内部時刻を正確な時刻に修正する。
【００２５】
衛星信号にはＧＰＳ衛星２００の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するための３つのパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００２６】
図２は、電子時計１００の平面図である。
電子時計１００は、金属またはその他の導電性材料で形成された円筒状のケース胴８１と、ケース胴８１に嵌合され、金属またはその他の導電性材料で形成された円筒状のベゼル８２と、を備える。
また、電子時計１００は、ベゼル８２の内周側に設けられ、プラスチック等の非導電性材料で形成されたリング状のダイヤルリング２１と、ダイヤルリング２１の内周側に設けられた、円盤状の文字板１１と、文字板１１上に設けられ、指針軸１２を中心に周回して現在時刻を指し示す指針１３（秒針１３ａ、分針１３ｂ、及び、時針１３ｃ）と、を備える。
【００２７】
また、電子時計１００は、文字板１１の裏面側（つまり、図２（及び、以下で説明する各図）において「−ｚ方向」）に設けられた、液晶表示パネル１４を備える。電子時計１００の利用者は、文字板１１に形成された開口部１１ａを介して液晶表示パネル１４を視認できる。液晶表示パネル１４には、例えば、電子時計１００が位置するタイムゾーンの代表的な都市名が表示される。図２の例では、「東京」を意味する「ＴＹＯ」の文字が表示されている。この例では、電子時計１００が、東京と同一のタイムゾーンに位置している場合を例示している。
なお、以下では、文字板１１、指針１３、及び、液晶表示パネル１４を、「表示部」と総称する場合がある。
【００２８】
図２に示すように、電子時計１００は、竜頭１６と、複数の操作ボタン１７と、を備えている。これら竜頭１６、操作ボタン１７を手動操作することにより、電子時計１００を、少なくとも１つのＧＰＳ衛星２００からの衛星信号を受信して内部時刻情報の修正を行うモード（時刻情報取得モード）と、複数のＧＰＳ衛星２００からの衛星信号を受信して測位計算を行い内部時刻情報の時差を修正するモード（位置情報取得モード）と、のうちいずれかのモードに設定できる。また、電子時計１００は、時刻情報取得モードや位置情報取得モードを定期的に（自動的に）実行することもできる。
【００２９】
図２に示すように、電子時計１００は、電子時計１００の利用者が電子時計１００を装着するときに用いるバンド１１０を、電子時計１００に取り付けるためのバンド取付部８６及び８７を備える。バンド取付部８６は、電子時計１００の１２時方向に設けられ、一対の突出部（カン）８６ａ及び８６ｂを具備する。一対の突出部８６ａ及び８６ｂには、バンド１１０の一端が接続される。バンド取付部８７は、電子時計１００の６時方向に設けられ、一対の突出部８７ａ及び８７ｂを具備する。一対の突出部８７ａ及び８７ｂには、バンド１１０の他端が接続される。
なお、ここで、「１２時方向」とは、指針軸１２から見て時針１３ｃが１２時を示す方向（すなわち、図２において「＋ｙ方向」）であり、「６時方向」とは、指針軸１２から見て時針１３ｃが６時を示す方向（すなわち、図２において「−ｙ方向」）である。
また、電子時計１００は、６時方向に設けられるバンド取付部８７の突出部８７ａ及び８７ｂの間に、アンテナ収納部９０を備える。
【００３０】
以下、図３乃至図６を参照しつつ、電子時計１００の構造について説明する。
図３は電子時計１００の内部構造の概略を示す要部断面図であり、図４及び図５は電子時計１００の一部の分解斜視図であり、図６は、後述するアンテナ体４０及びアンテナ収納部９０の平面図である。
【００３１】
図３に示すように、電子時計１００は、表示機構収納部８０を備える。表示機構収納部８０は、ケース胴８１と、ベゼル８２と、カバーガラス８４と、裏蓋８５とを備える。カバーガラス８４は、ベゼル８２に嵌合され、ベゼル８２の有する開口Ｋ１を塞いている。裏蓋８５は、ＳＵＳ（ステンレス）またはＴｉ（チタン）等の金属またはその他の導電性材料で形成されている。この裏蓋８５は、ケース胴８１にスクリュー溝またはねじ等で固定され、ケース胴８１が有する開口Ｋ２を塞いでいる。すなわち、裏蓋８５はケース胴８１に電気的に接続される。
【００３２】
表示機構収納部８０は「第１収納部」の一例であり、当該表示機構収納部８０の収納空間８８には、上述した文字板１１、指針１３、及び、液晶表示パネル１４等の表示部、並びに、表示部の動作を制御する制御部等が収納されている。
以下、図３及び図４を参照しつつ、表示機構収納部８０に収納された電子時計１００の構成要素について説明する。
【００３３】
カバーガラス８４の裏面側（−ｚ方向）には、ベゼル８２の内周に沿って、ダイヤルリング２１が設けられている。また、ダイヤルリング２１の裏面側には、ケース胴８１の内周よりも内側に、プラスチック等の非導電性材料で形成された地板３８が設けられている。ダイヤルリング２１及び地板３８の間には、文字板１１と、ソーラーパネル２２とが設けられている。
【００３４】
文字板１１は、円形の板材であり、プラスチックなどの光透過性の非導電性材料で形成されている。文字板１１には、指針軸１２を貫通させるための穴が形成され、また、液晶表示パネル１４を視認させるための開口部１１ａ（図２及び図４参照）が形成されている。
ソーラーパネル２２は、光エネルギーを電気エネルギー（電力）に変換する複数のソーラーセル（光発電素子）を直列接続した円形の平板である。ソーラーパネル２２には、指針軸１２を貫通させるための穴が形成され、また、液晶表示パネル１４を視認させるための開口部２２ａ（図４参照）が形成されている。
【００３５】
図３に示すように、表示機構収納部８０には、文字板１１、ソーラーパネル２２、及び、地板３８を貫通する指針軸１２と、指針軸１２を中心に周回して現在時刻を指し示す複数の指針１３（秒針１３ａ、分針１３ｂ、及び、時針１３ｃ）が設けられている。
指針軸１２は、秒針１３ａを旋回させるための軸、分針１３ｂを旋回させるための軸、及び、時針１３ｃを旋回させるための軸を有する。指針１３は、ダイヤルリング２１の内周よりも内側で、且つ、カバーガラス８４及び文字板１１の間に配置されている。
【００３６】
地板３８の裏面側には、指針軸１２を介して指針１３を駆動するための駆動機構３０が取り付けられている。駆動機構３０は、複数のステップモーターを備えるとともに、複数のステップモーターのそれぞれに対応した複数の輪列を備える。各輪列は、１または複数の歯車等により構成されている。この駆動機構３０は、指針軸１２を回転させることにより、指針１３（１３ａ、１３ｂ、及び、１３ｃ）を駆動する。
【００３７】
また電子時計１００は、表示機構収納部８０の内側に、基板２５を備える。基板２５は、樹脂や誘電体を含む素材で形成され、駆動機構３０の裏面側に配置されている。
基板２５には、ＧＰＳ受信部２６及び駆動制御部７０を含む回路ブロックが実装されている。具体的には、基板２５の上面（表面側の面）には、駆動制御部７０が設けられ、基板２５の下面（裏面側の面）には、ＧＰＳ受信部２６が設けられている。
【００３８】
駆動制御部７０は、制御信号をＧＰＳ受信部２６に送り、ＧＰＳ受信部２６の受信動作を制御するとともに、駆動機構３０の動作を制御する。
ＧＰＳ受信部２６は、例えば、１チップのＩＣモジュールで構成され、そこにはアナログ回路とデジタル回路とが含まれている。ＧＰＳ受信部２６は、導電性材料により形成されたシールド２３により覆われている。このシールド２３には、回路ブロックのグランド電位が供給されている。また、シールド２３は、回路押え２４を介して、裏蓋８５と電気的に接続されている。
なお、ＧＰＳ受信部２６及び駆動制御部７０を含む回路ブロックと、駆動機構３０とを「制御部」と総称する。
【００３９】
基板２５の下面には、信号線４５と、基板２５上に設けられた配線とを電気的に接続するコネクタ４６が設けられている。本実施形態では、信号線４５として同軸ケーブルを用いることで、当該信号線４５により伝達される信号へのノイズの混入を防止する。但し、信号線４５は、フレキシブル基板上に設けられる配線であってもよい。
【００４０】
電子時計１００は、表示機構収納部８０に、リチウムイオン電池などの円柱形状の二次電池２７、及び、当該二次電池２７を収納するための電池収納部２８を備える。
二次電池２７は、ソーラーパネル２２が発電した電力で充電される。この二次電池２７を収納するための電池収納部２８は、基板２５の裏面側（つまり、基板２５及び裏蓋８５の間）に配置されている。
【００４１】
また、電子時計１００は、図２、図３及び図５に示すように、表示機構収納部８０の外側に、アンテナ収納部９０、バンド取付部８６及び８７、竜頭１６、及び、操作ボタン１７を備える。
本実施形態において、バンド取付部８６及び８７（突出部８６ａ、８６ｂ、８７ａ、８７ｂ）は、ケース胴８１と同一の導電性材料により、ケース胴８１と一体に形成される。
図５に示すように、バンド取付部８６が具備する突出部８６ａ及び８６ｂ、並びに、バンド取付部８７が具備する突出部８７ａ及び８７ｂのそれぞれには、貫通孔Ｋ４設けられる。バンド１１０の一端に設けられた貫通孔と、突出部８６ａ及び８６ｂに設けられた貫通孔Ｋ４とに接続ピンを挿通することで、バンド１１０の一端がバンド取付部８６に接続される。また、バンド１１０の他端に設けられた貫通孔と、突出部８７ａ及び８７ｂに設けられた貫通孔Ｋ４とに接続ピンを挿通することで、バンド１１０の他端がバンド取付部８６に接続される。
表示機構収納部８０の外側に設けられるアンテナ収納部９０は「第２収納部」の一例であり、衛星信号を受信するためのアンテナ体４０が収納されている。
なお、以下において、表示機構収納部８０、アンテナ収納部９０、並びに、バンド取付部８６及び８７を、「外装ケース」と称する場合がある。
【００４２】
以下、図３、図５、及び、図６を参照しつつ、アンテナ収納部９０及びアンテナ体４０について説明する。
【００４３】
図３に示すように、アンテナ収納部９０は、突出部８７ａ及び８７ｂの間に設けられ、上面部９１、底面部９２、及び、側部９３を備える。この上面部９１、底面部９２、側部９３で囲まれた収納空間９４に、後述するアンテナ体４０を収納する。
上面部９１は、アンテナ収納部９０の上面を構成し、アンテナ体４０よりも表面側に位置する。この上面部９１は、セラミック、ガラス、プラスチック、またはその他の非導電性材料で形成されている。
底面部９２は、アンテナ収納部９０の底面を構成し、アンテナ体４０よりも裏面側に位置する。すなわち、電子時計１００を腕に装着した場合、底面部９２はアンテナ体４０よりも腕に近い側に位置する。また、底面部９２は、ＳＵＳ（ステンレス）またはＴｉ（チタン）等の金属またはその他の導電性材料で形成されている。より具体的には、底面部９２は、ケース胴８１と同一の材料で、ケース胴８１と一体に形成される。但し、底面部９２は、ケース胴８１とは異なる導電性材料で、または、ケース胴８１とは別体として形成されるものであってもよい。
【００４４】
側部９３は、上面部９１と底面部９２の間に位置する部材であり、ＳＵＳ（ステンレス）またはＴｉ（チタン）等の金属またはその他の導電性材料で形成されている。より具体的には、側部９３は、ケース胴８１及び底面部９２と同一の材料で、ケース胴８１及び底面部９２と一体に形成される。
本実施形態では、ケース胴８１と一体に形成された底面部９２と側部９３とによって凹部が形成され、その凹部の上面を上面部９１で覆うことにより、アンテナ体４０を収納するための空間を形成する。なお、側部９３を表面側からくり抜くことにより、凹部を形成するようにしてもよい。その場合、凹部の底面部分が底面部９２に該当し、凹部の側面部分が側部９３に該当する。
【００４５】
側部９３及びケース胴８１には、貫通孔Ｋ３が設けられている。上述した信号線４５は、当該貫通孔Ｋ３を貫通して、コネクタ４６と、後述するアンテナ体４０のアンテナ素子４２と、を電気的に接続する。
本実施形態において、信号線４５は、パッキン（図示省略）に挟み込まれた状態で、貫通孔Ｋ３に嵌め込まれている。これにより、アンテナ収納部９０から、表示機構収納部８０への水分等の侵入を防止することができる。但し、電子時計１００は、このようなパッキンを具備しないものであってもよい。
【００４６】
図３、図５、及び、図６に示すように、アンテナ体４０は、パッチアンテナであり、誘電体４１、アンテナ素子４２、及び、アンテナ基板４３を備える。
誘電体４１は、比誘電率εｒが５０程度となるように形成されることが好ましい。本実施形態では、誘電体４１は、チタン酸バリウム等の高周波で使用可能な誘電材料を樹脂に混ぜることで、比誘電率εｒが「１００」以上となるように形成される。
また、図６に示すように、電子時計１００を表面側（つまり、「＋ｚ方向」）から見た場合において（以下、表面側から電子時計１００を見ることを、「平面視する」と表現する場合がある）、誘電体４１は、ｘ軸方向の幅が、ｙ軸方向（「所定の方向」の一例）の幅に比べて広くなるように設けられている。
【００４７】
アンテナ素子４２は、誘電体４１の上面（表面側の面）に、金属等の導電性材料をメッキまたは銀ペースト印刷等により形成したものである。
このアンテナ素子４２は、信号線４５と電気的に接続されている。すなわち、信号線４５、コネクタ４６、及び、基板２５上の配線は、アンテナ素子４２と、ＧＰＳ受信部２６とを電気的に接続する「接続配線」として機能する。
なお、本実施形態では、信号線４５とアンテナ素子４２とは、誘電体４１の内部を貫通する給電部（図示省略）を介して電気的に接続されるが、当該給電部は誘電体４１の表面に設けられるものであってもよい。
【００４８】
アンテナ基板４３は、金属等の導電性材料から形成される。また、アンテナ基板４３は、図６に示すように、平面視した場合に、底面部９２のほぼ全面を覆うように設けられる。
なお、本実施形態において、アンテナ基板４３は、底面部９２の上に直接形成されるが、プリント基板上にアンテナ基板４３を設け、導通ばねにより、アンテナ基板４３と底面部９２と電気的に接続してもよい。また、アンテナ基板４３は、底面部９２と同一の材料で底面部９２と一体として形成されるものであってもよい。
【００４９】
アンテナ基板４３は、アンテナ体４０のグランドプレーンとして機能する。
通常、グランドプレーンの面積が大きい場合、小さい場合と比較して、アンテナ体４０の受信性能は向上するになる。従って、本実施形態のように、アンテナ基板４３及び底面部９２が電気的に接続され、且つ、底面部９２及びケース胴８１並びに裏蓋８５が電気的に接続される場合、アンテナ基板４３に加えて、底面部９２、ケース胴８１、及び、裏蓋８５を、アンテナ体４０のグランドプレーンとして機能させることができるため、アンテナ体４０の良好な受信性能を確保することができる。
【００５０】
本実施形態では、アンテナ素子４２は正方形の形状を有し、且つ、平面視したときのアンテナ基板４３の各辺の長さはアンテナ体４０が受信する電波に共振する長さ（以下、「共振長ｄｓ」と称する）と等しい。
すなわち、図６に示すように、アンテナ素子４２を平面視したときに、アンテナ素子４２の輪郭を表す辺Ｌ１〜Ｌ４のそれぞれの長さは、共振長ｄｓに等しく、且つ、辺Ｌ１または辺Ｌ２と、辺Ｌ３または辺Ｌ４とは互いに直交する。
なお、本明細書において、「長さが等しい」とは、長さが完全に一致することまでは要さず、長さが等しいと看做せる程度であればよい。例えば、辺Ｌ１〜Ｌ４のうち最大の長さが共振長ｄｓの１１０％以下であり、且つ、最少の長さが共振長ｄｓの９０％以上である場合には、「長さが等しい」と看做してもよい。
同様に、辺Ｌ１または辺Ｌ２と、辺Ｌ３または辺Ｌ４とは、厳密に直交している必要は無く、直交していると看做せる程度の角度で交差していればよい。例えば、９０度から１０度以下の誤差があってもよい。
また、本実施形態では、辺Ｌ１〜Ｌ４の全ての長さが、共振長ｄｓと等しい（すなわち、等しいと看做せる）長さを有するが、辺Ｌ１及び辺Ｌ２の間の間隔と、辺Ｌ３及び辺Ｌ４の間の間隔のうち、少なくとも一方が共振長ｄｓと等しいものであってもよい。
【００５１】
パッチアンテナは、アンテナの電極の長さが、受信する電波の波長の２分の１の長さとなるときに共振し、高い受信性能を発揮する。そのため、パッチアンテナが円偏波を受信するためには、アンテナの電極の長さ（すなわち、アンテナ基板４３の辺Ｌ１〜Ｌ４の長さ）を、波長の０．４〜０．６倍程度、理想的には０．５倍にすることが好ましい。
ＧＰＳ衛星２００からの電波の周波数は約１．５７５ＧＨｚであり、１波長は約１９ｃｍである。そのため、アンテナ体４０が、ＧＰＳ衛星２００からの電波を受信するためには、辺Ｌ１〜Ｌ４のそれぞれの長さを約７．６〜１１．４ｃｍの範囲（理想的には、９．５ｃｍ）とすることが求められる。しかし、このような大きさのアンテナ素子４２を電子時計１００の内部に収める場合、電子時計１００が大型化してしまう。
これに対して、本実施形態では、比誘電率εｒが「１００」以上の誘電体４１を基材としてアンテナ体４０が形成される。比誘電率がεｒの誘電体４１を用いる場合、当該誘電体４１による波長短縮率は（εｒ）−１／２となる。つまり、比誘電率がεｒの誘電体４１を備えることで、誘電体４１を備えない場合に比べて、アンテナ体４０の受信する電波の波長を（εｒ）−１／２倍に短縮することができる。例えば、比誘電率εｒが「１００」である場合には、波長短縮率は０．１倍となるため、辺Ｌ１〜Ｌ４の長さは約０．７ｃｍ〜１．２ｃｍ（理想的には、０．９５ｃｍ）とすることができ、電子時計１００を大型化することなくアンテナ体４０を設けることが可能となる。
【００５２】
また、図６に示すように、アンテナ素子４２は、アンテナ素子４２と側部９３との距離が、所定の距離ｄｍｉｎ以上となるように設けられる。本実施形態において、所定の距離ｄｍｉｎは「２ｍｍ」とする。
具体的には、アンテナ素子４２は、側部９３の内周側の壁面Ｗｓと辺Ｌ１〜Ｌ４のそれぞれとの距離ｄ１〜ｄ４が、全て「２ｍｍ」以上となるように設けられている。
【００５３】
図７は、一般的なパッチアンテナの動作原理を説明する説明図である。パッチアンテナを送信アンテナとして使用する場合、アンテナ素子の周縁部からアンテナ基板に向けて、この図に示された電気力線により表されるような電場が生じる。その結果、アンテナ素子の周縁部から図の上方に向けて、電波が放射される。同様に、パッチアンテナが電波を受信する場合には、アンテナ素子の周縁部において、図において上方からの電波を受信する。
このため、アンテナ素子の周縁部に、金属その他の導電性物質が存在する場合、送信または受信される電波が、当該導電性物質により反射または吸収され、パッチアンテナの送受信性能が劣化する。
これに対して本実施形態では、導電性材料からなる壁面Ｗｓとの間隔が「２ｍｍ」以上となるようにアンテナ基板４３が設けられる。また、本実施形態では、上面部９１が非導電性材料により形成される。このため、アンテナ体４０が送受信する電波が、側部９３または上面部９１により吸収または反射されることを防止することができ、良好な受信性能を確保することができる。
【００５４】
また、本実施形態では、バンド取付部８７は、電子時計１００の６時方向に設けられ、且つ、アンテナ体４０は、バンド取付部８７の突出部８７ａ及び８７ｂの間に設けられたアンテナ収納部９０に収納される。
電子時計１００は、屋外において衛星信号を受信する。屋外において、電子時計１００は、利用者の腕に装着されている場合が多い。そして、図８に示すように、電子時計１００の利用者は、屋外において腕を利用者の前方または下方向に向けた姿勢を取っている場合が多い。よって、屋外では、電子時計１００の６時方向が、１２時方向に比べて、天頂方向に近い方向となる場合が多い。
本実施形態において、アンテナ体４０は、電子時計１００の６時方向に設けられる。そのため、本実施形態では、アンテナ体４０が１２時方向に設けられる場合と比べて、アンテナ体４０の受信性能を良好に保つことが可能になる。
【００５５】
また、本実施形態に係る電子時計１００は、アンテナ体４０を、表示機構収納部８０の外側に設けられたアンテナ収納部９０に収納する。
以下では、本実施形態に係る電子時計１００が、このような構成を有することによる効果を、図９及び図１０に示す対比例に係る電子時計１００Ｔと比較しながら、説明する。
【００５６】
図９は、対比例に係る電子時計１００Ｔの要部断面図である。図１０は、対比例に係る電子時計１００Ｔの一部の分解斜視図である。
図９及び図１０に示すように、対比例に係る電子時計１００Ｔは、表示機構収納部８０ｔ（ケース胴８１ｔ、ベゼル８２ｔ、カバーガラス８４、及び、裏蓋８５）にリング状のアンテナ体４０ｔが収納されている。より具体的には、アンテナ体４０ｔは、受信性能を確保するために、駆動機構３０よりも表面側に設けられる。また、アンテナ体４０ｔは、アンテナ体４０ｔが利用者に視認されることによるデザイン性の低下を防止するために、ダイヤルリング２１ｔよりも裏面側に設けられる。
【００５７】
対比例に係る電子時計１００Ｔは、アンテナ体４０ｔを表示機構収納部８０ｔに収納するため、表示機構収納部８０ｔのＺ軸方向の幅ｈ１ｔが、本実施形態に係る表示機構収納部８０のＺ軸方向の幅ｈ１（図３参照）と比較して広くなる。つまり、電子時計１００Ｔは、電子時計１００に比べて、厚くなる。
これに対して、本実施形態に係る電子時計１００は、アンテナ体４０を表示機構収納部８０の外部に設けるため、表示機構収納部８０の薄型化及び小型化が可能となる。
さらに、本実施形態に係る電子時計１００は、アンテナ体４０を、突出部８７ａ及び８７ｂの間のアンテナ収納部９０に収納する。突出部８７ａ及び８７ｂの間の空間は、通常は、空洞またはケース胴８１が設けられる空間に過ぎず、当該空間が特定の目的に利用されることは稀である。すなわち、本実施形態では、謂わば「用途の無い余った空間」にアンテナ収納部９０を設ける。このため、アンテナ収納部９０を設ける場合であっても、設けない場合と比較して、電子時計１００の大型化やデザイン性の低下等が生じる可能性は低い。
このように、本実施形態に係る電子時計１００は、表示機構収納部８０にアンテナ体４０を収納する場合（例えば、電子時計１００Ｔ）と比較して、電子時計１００の全体の薄型化及び小型化ができ、電子時計１００のデザイン性を向上させることが可能となる。
【００５８】
また、対比例に係るダイヤルリング２１ｔの裏面側にはアンテナ体４０ｔが配置される。このため、ダイヤルリング２１ｔのＺ軸方向の幅ｈ２ｔは、本実施形態に係るダイヤルリング２１のＺ軸方向の幅ｈ２（図３参照）と比較して広くなる。つまり、ダイヤルリング２１ｔが有する傾斜面ＴＰ２の傾きは、ダイヤルリング２１が有する傾斜面ＴＰ１（図３参照）の傾きと比べて急な傾きとなる。
傾斜面ＴＰ２の傾きが急である場合において、電子時計１００Ｔの利用者が、例えば図９の右斜め上方向（＋Ｚ方向且つ＋Ｘ方向）から文字板１１を見るとき、利用者は、ダイヤルリング２１ｔに遮られ文字板１１の端部を視認することができないことがある。
これに対して、本実施形態では、傾斜面ＴＰ２に比べて緩やかな傾きの傾斜面ＴＰ１を有するダイヤルリング２１を備えるため、電子時計１００の利用者は、ダイヤルリング２１に遮られることなく、文字板１１を広い角度方向から隅々まで視認することが可能となる。
【００５９】
＜２：アンテナ内蔵式電子時計の回路構成＞
図１１は、電子時計１００の回路構成の一例を示すブロック図である。図１１に示すように、電子時計１００は、ＧＰＳ受信部２６及び制御表示部３６を含む。ＧＰＳ受信部２６は、衛星信号の受信、ＧＰＳ衛星２００の捕捉、位置情報の生成、時刻修正情報の生成等の処理を行う。制御表示部３６は、内部時刻情報の保持及び内部時刻情報の修正等の処理を行う。
【００６０】
ソーラーパネル２２は、充電制御回路２９を通じて二次電池２７を充電する。電子時計１００はレギュレータ３４及び３５を備え、二次電池２７は、レギュレータ３４を介して制御表示部３６に、レギュレータ３５を介してＧＰＳ受信部２６に駆動電力を供給する。また電子時計１００は、二次電池２７の電圧を検出する電圧検出回路３７を備える。なお、レギュレータ３５に代えて、例えば、ＲＦ部５０（詳細は後述）に駆動電力を供給するレギュレータと、ベースバンド部６０（詳細は後述）に駆動電力を供給するレギュレータ（ともに図示せず）とに分けて設けてもよい。
【００６１】
また電子時計１００は、アンテナ体４０、及び、ＳＡＷ（Surface Acoustic Wave：表面弾性波）フィルタ３２を含む。
アンテナ体４０は、上述したように、複数のＧＰＳ衛星２００からの衛星信号を受信する。ただし、アンテナ体４０は衛星信号以外の不要な電波も若干受信してしまうため、ＳＡＷフィルタ３２は、アンテナ体４０が受信した信号から衛星信号を抽出する処理を行う。すなわち、ＳＡＷフィルタ３２は、１．５ＧＨｚ帯の信号を通過させるバンドパスフィルタとして構成される。
【００６２】
また、ＧＰＳ受信部２６は、ＲＦ（Radio Frequency：無線周波数）部５０とベースバンド部６０を含んで構成されている。以下に説明するように、ＧＰＳ受信部２６は、ＳＡＷフィルタ３２が抽出した１．５ＧＨｚ帯の衛星信号から航法メッセージに含まれる軌道情報やＧＰＳ時刻情報等の衛星情報を取得する処理を行う。
【００６３】
ＲＦ部５０は、ＬＮＡ（Low Noise Amplifier）５１、ミキサ５２、ＶＣＯ（Voltage Controlled Oscillator）５３、ＰＬＬ（Phase Locked Loop）回路５４、ＩＦアンプ５５、ＩＦ（Intermediate Frequency：中間周波数）フィルタ５６、ＡＤＣ（Ａ／Ｄ変換器）５７等を含む。
【００６４】
ＳＡＷフィルタ３２が抽出した衛星信号は、ＬＮＡ５１で増幅される。ＬＮＡ５１で増幅された衛星信号は、ミキサ５２でＶＣＯ５３が出力するクロック信号とミキシングされて中間周波数帯の信号にダウンコンバートされる。ＰＬＬ回路５４は、ＶＣＯ５３の出力クロック信号を分周したクロック信号と基準クロック信号を位相比較してＶＣＯ５３の出力クロック信号を基準クロック信号に同期させる。その結果、ＶＣＯ５３は基準クロック信号の周波数精度の安定したクロック信号を出力することができる。なお、中間周波数として、例えば、数ＭＨｚを選択することができる。
【００６５】
ミキサ５２でミキシングされた信号は、ＩＦアンプ５５で増幅される。ここで、ミキサ５２でのミキシングにより、中間周波数帯の信号とともに数ＧＨｚの高周波信号も生成される。そのため、ＩＦアンプ５５は、中間周波数帯の信号とともに数ＧＨｚの高周波信号も増幅する。ＩＦフィルタ５６は、中間周波数帯の信号を通過させるとともに、この数ＧＨｚの高周波信号を除去する（正確には、所定のレベル以下に減衰させる）。ＩＦフィルタ５６を通過した中間周波数帯の信号はＡＤＣ（Ａ／Ｄ変換器）５７でデジタル信号に変換される。
【００６６】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含んで構成されている。また、ベースバンド部６０には、温度補償回路付き水晶発振回路（ＴＣＸＯ：Temperature Compensated Crystal Oscillator）６５やフラッシュメモリ６６等が接続されている。
【００６７】
温度補償回路付き水晶発振回路（ＴＣＸＯ）６５は、温度に関係なくほぼ一定の周波数の基準クロック信号を生成する。フラッシュメモリ６６には、例えば時差情報が記憶されている。時差情報は、時差データ（座標値（例えば、緯度及び経度）に関連づけられたＵＴＣに対する補正量等）が定義された情報である。
【００６８】
ベースバンド部６０は、時刻情報取得モード又は位置情報取得モードに設定されると、ＲＦ部５０のＡＤＣ５７が変換したデジタル信号（中間周波数帯の信号）からベースバンド信号を復調する処理を行う。
【００６９】
また、ベースバンド部６０は、時刻情報取得モードまたは位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星２００に同期（すなわち、ＧＰＳ衛星２００を捕捉）したものと判断する。ここで、ＧＰＳシステムでは、すべてのＧＰＳ衛星２００が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２００を検索することができる。
【００７０】
また、ベースバンド部６０は、時刻情報取得モード又は位置情報取得モードにおいて、捕捉したＧＰＳ衛星２００の衛星情報を取得するために、当該ＧＰＳ衛星２００のＣ／Ａコードと同一のパターンのローカルコードとベースバンド信号をミキシングする処理を行う。ミキシングされた信号には、捕捉したＧＰＳ衛星２００の衛星情報を含む航法メッセージが復調される。そして、ベースバンド部６０は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ６３に記憶する）処理を行う。ここで、ＧＰＳ時刻情報は、週番号データ（ＷＮ）及びＺカウントデータであるが、以前に週番号データが取得されている場合にはＺカウントデータのみであってもよい。そして、ベースバンド部６０は、衛星情報に基づいて、内部時刻情報を修正するために必要な時刻修正情報を生成する。
【００７１】
時刻情報取得モードの場合、より具体的には、ベースバンド部６０は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００７２】
一方、位置情報取得モードの場合、より具体的には、ベースバンド部６０は、ＧＰＳ時刻情報や軌道情報に基づいて測位計算を行い、位置情報（より具体的には、受信時に電子時計１００が位置する場所の緯度及び経度）を取得する。さらに、ベースバンド部６０は、フラッシュメモリ６６に記憶されている時差情報を参照し、位置情報により特定される電子時計１００の座標値（例えば、緯度及び経度）に関連づけられた時差データを取得する。このようにして、ベースバンド部６０は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。
なお、ベースバンド部６０は、１つのＧＰＳ衛星２００の衛星情報から時刻修正情報を生成してもよいし、複数のＧＰＳ衛星２００の衛星情報から時刻修正情報を生成してもよい。
【００７３】
また、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、ＴＣＸＯ６５から出力される基準クロック信号でカウントアップされる。なお、ベースバンド部６０は、ＲＴＣ６４を備えずに構成されるものであっても構わない。
【００７４】
制御表示部３６は、駆動制御部７０、駆動回路７４及び水晶振動子７３を含んで構成されている。
駆動制御部７０は、記憶部７１、ＲＴＣ（Real Time Clock）７２を備え、各種制御を行う。駆動制御部７０は、例えばＣＰＵで構成することが可能である。駆動制御部７０は、制御信号をＧＰＳ受信部２６に送り、ＧＰＳ受信部２６の受信動作を制御する。また駆動制御部７０は、電圧検出回路３７の検出結果に基づいて、レギュレータ３４及びレギュレータ３５の動作を制御する。また駆動制御部７０は、駆動回路７４を介してすべての指針１３の駆動を制御するとともに、液晶表示パネル１４の動作を制御する。
【００７５】
記憶部７１には受信データが記憶されている。駆動制御部７０はその受信データに基づいて内部時刻情報を修正する。内部時刻情報は、電子時計１００で計時される時刻の情報であり、常時駆動されているＲＴＣ７２でカウントされており、水晶振動子７３によって生成される基準クロック信号によって更新される。したがって、ＧＰＳ受信部２６への電力供給が停止されていても、内部時刻情報を更新して指針の運針を継続することができるようになっている。
【００７６】
駆動制御部７０は、時刻情報取得モードに設定されると、ＧＰＳ受信部２６の動作を制御し、ＧＰＳ時刻情報に基づいて内部時刻情報を修正して記憶部７１に記憶する。より具体的には、内部時刻情報は、取得したＧＰＳ時刻情報にＵＴＣオフセットを加算することで求められるＵＴＣ（協定世界時）に修正される。また、駆動制御部７０は、位置情報取得モードに設定されると、ＧＰＳ受信部２６の動作を制御し、衛星時刻データ（ＧＰＳ時刻情報）及び時差データに基づいて、内部時刻情報を修正して記憶部７１に記憶する。
【００７７】
＜３：実施形態のまとめ＞
以上で説明したように、本実施形態では、表示機構収納部８０の外部に設けられたアンテナ収納部９０にアンテナ体４０を収納するため、アンテナ体４０を表示機構収納部８０に収納する場合と比較して、電子時計１００を薄型化及び小型化させることが可能となるとともに、電子時計１００のデザイン性を向上させることが可能となる。
また、本実施形態では、比誘電率εｒが「１００」以上の誘電体４１を基材としてアンテナ体４０を形成するため、アンテナ体４０を設けることに伴う電子時計１００の大型化を防止することができる。
また、本実施形態では、ケース胴８１、ベゼル８２、側部９３、及び、底面部９２が、金属等の導電性材料により形成されるため、これのうち一部を非導電性材料により形成する場合と比較して、電子時計１００のデザインを、より重厚感及び高級感のあるものとすることができる。
【００７８】
本実施形態では、アンテナ素子４２を側部９３から「２ｍｍ」以上離れるように設け、且つ、上面部９１を非導電性材料により形成するため、アンテナ体４０の良好な受信性能を確保することが可能となる。
また、本実施形態では、アンテナ体４０を収納するアンテナ収納部９０を、電子時計１００の６時方向に設けるため、１２時方向に設ける場合と比較して、アンテナ体４０の良好な受信性能を確保することができる。
更に、本実施形態では、アンテナ基板４３に加えて、アンテナ基板４３と電気的に接続される底面部９２、ケース胴８１、及び、裏蓋８５がアンテナ体４０のグランドプレーンとして機能するため、アンテナ体４０の良好な受信性能を確保することができる。
【００７９】
＜Ｂ．変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００８０】
＜変形例１＞
上述した実施形態において、アンテナ収納部９０の上面部９１は、非導電性材料により形成されるが、本発明はこのような形態に限定されるものではなく、上面部９１の一部を導電性材料により形成してもよい。
例えば、上面部９１は、導電性材料により形成された第１上面部と、非導電性材料により形成された第２上面部と、を有するものであってもよい。この場合、アンテナ素子４２の有する４辺のうち、辺Ｌ１及び辺Ｌ２の２辺、または、辺Ｌ３及び辺Ｌ４の２辺のうち、少なくとも一方が、平面視して、非導電性材料により形成された第２上面部と重なる（第１上面部と重ならない）ものであればよい。
【００８１】
図１２は、本変形例に係るアンテナ収納部９０ａ及びアンテナ体４０ａを表す分解斜視図であり、図１３は、アンテナ収納部９０ａに収納されたアンテナ体４０ａを表す平面図である。以下、図１２及び図１３を参照しつつ、アンテナ収納部９０ａ及びアンテナ体４０ａについて説明する。
【００８２】
アンテナ収納部９０ａは、上面部９１の代わりに上面部９１ａを備える点を除き、実施形態に係るアンテナ収納部９０と同様に構成される。
具体的には、図１２に示すように、上面部９１ａは、導電性材料により形成された第１上面部９１２と、非導電性材料により形成された第２上面部９１４及び９１６と、を備える。
【００８３】
また、アンテナ体４０ａは、アンテナ素子４２の代わりにアンテナ素子４２ａを備える点を除き、実施形態に係るアンテナ体４０と同様に構成される。
図１３に示すように、アンテナ素子４２ａは、Ｘ軸方向の幅が、Ｙ軸方向の幅に比べて広い。すなわち、平面視したときのアンテナ素子４２ａの輪郭を表す辺Ｌ１ａ〜Ｌ４ａのうち、Ｘ軸方向に延在する辺Ｌ３ａ及び辺Ｌ４ａは、Ｙ軸方向に延在する辺Ｌ１ａ及び辺Ｌ２ａに比べて長い。より具体的には、アンテナ素子４２ａは、辺Ｌ１ａ及び辺Ｌ２ａの長さが共振長ｄｓよりも短く、且つ、辺Ｌ３ａ及び辺Ｌ４ａの長さが共振長ｄｓと等しくなる（つまり、等しいと看做すことができる）ように設けられる。
なお、本変形例においても、アンテナ素子４２ａは、壁面Ｗｓと辺Ｌ１ａ〜Ｌ４ａのそれぞれとの距離ｄ１ａ〜ｄ４ａが、全て「２ｍｍ」以上となるように設けられる。
【００８４】
また、図１３に示すように、第１上面部９１２は、平面視したときに、辺Ｌ１ａ及び辺Ｌ２ａの間に位置するように設けられる。換言すれば、平面視したときに、辺Ｌ１ａ及び辺Ｌ２ａと、第１上面部９１２とが重ならないように（つまり、辺Ｌ１ａと第２上面部９１４が重なり、且つ、辺Ｌ２ａと第２上面部９１６とが重なるように）、上面部９１ａ及びアンテナ素子４２ａが設けられる。
【００８５】
本変形例のように、上面部の一部を導電性材料により形成する場合、上面部の全てを非導電性材料により形成する場合と比較して、デザイン上の制約を緩和することができ、電子時計のデザイン上の自由度を高めることができるとともに、電子時計のデザインを、より重厚感及び高級感のあるものとすることができる。
また、本変形例では、辺Ｌ１ａ及び辺Ｌ２ａの上方には、非導電性材料により形成された第２上面部９１４または第２上面部９１６が配置される。このため、導電性の第１上面部９１２により衛星信号が遮られることによる、アンテナ体４０ａの受信性能の低下を小さく抑えることが可能となる。
なお、アンテナ素子４２ａの辺Ｌ１ａ及び辺Ｌ２ａの間の距離を、実施形態に係るアンテナ素子４２の辺Ｌ１及び辺Ｌ２の間の距離に比べて長くする場合、誘電体４１の有する比誘電率εｒを「１００」よりも小さくすることが可能となり、誘電体４１を形成する際の材料選択の幅が広がり、電子時計１００の製造コストを低く抑えることが可能となる。
【００８６】
＜変形例２＞
上述した実施形態及び変形例において、アンテナ体４０は、パッチアンテナであるが、本発明はこのような態様に限定されるものではなく、逆Ｆアンテナであってもよいし、これら以外の平面アンテナであってもよい。更には、小型化可能であり、且つ、衛星信号を受信可能なアンテナであれば、どのようなものであってもよい。
【００８７】
図１４は、本変形例に係る電子時計に設けられる、アンテナ体４０ｂの斜視図である。アンテナ体４０ｂは、逆Ｆアンテナであり、アンテナ体４０ｂを備える。アンテナ体４０ｂは、誘電体４１、アンテナ素子４２ｂ、及び、アンテナ基板４３を具備する。アンテナ素子４２ｂは、誘電体４１の上面と当該上面に隣り合う１の側面（厳密には、＋Ｙ方向側の１つの側面）との表面上に形成される。
逆Ｆアンテナは、円偏波を受信する場合、アンテナの電極の長さが受信する電波の波長の４分の１の長さとなるときに共振し高い受信性能を発揮する。そのため、逆Ｆアンテナの電極の長さ（すなわち、図１４における辺Ｌｆｈと、辺Ｌｆｖと長さの合計値である長さｄｆ）は、波長の０．２〜０．３倍程度、理想的には０．２５倍に設定される。よって、平面視したときのアンテナ素子４２ｂの辺Ｌｆｈの長さを、上述したアンテナ体４０の辺Ｌ３や、アンテナ体４０ａの辺Ｌ３ａ等に比べて短くすることができるのと同時に、誘電体４１の有する比誘電率εｒを「１００」よりも小さくすることができる。
【００８８】
＜変形例３＞
上述した実施形態及び変形例において、貫通孔Ｋ４は、バンド取付部８６及び８７（つまり、突出部８６ａ、８６ｂ、８７ａ、及び、８７ｂ）に設けられるが、本発明はこのような形態に限定されるものではなく、例えば、図１５に示すように、アンテナ収納部９０の側部９３に設けられるものであってもよい。
【００８９】
＜変形例４＞
上述した実施形態及び変形例において、電子時計は、表示部として文字板１１及び指針１３を具備する、いわゆるアナログ式時計であるが、本発明はこのような構成に限定されるものではなく、電子時計はデジタル式時計であってもよい。
図１６は、本変形例に係る電子時計１００Ｄの平面図である。この図に示すように、電子時計１００Ｄは、表示部として、文字板１１及び指針１３の代わりに、液晶表示パネル１０を具備する。この場合、電子時計１００Ｄは、駆動機構３０及び指針軸１２等を備えないものであってもよい。
【００９０】
＜変形例５＞
上述した実施形態及び変形例において、表示機構収納部は、平面視して円盤状の形状を有するが、本発明はこのような形態に限定されるものではなく、表示機構収納部の形状は円盤状の形状とは異なる形状、例えば、四角形であってもよい。
【００９１】
＜変形例６＞
上述した実施形態及び変形例において、側部９３は、ケース胴８１及び底面部９２と同一の材料で、ケース胴８１及び底面部９２と一体に形成されるが、本発明はこのような形態に限定されるものではなく、側部９３は、ケース胴８１及び底面部９２とは異なる材料で、または、ケース胴８１及び底面部９２とは別体として形成されるものであってもよい。
また、本実施形態では側部９３は導電性材料で形成されるが、側部９３を、セラミック等の非導電性材料で形成してもよい。
【００９２】
＜変形例７＞
上述した実施形態及び変形例において、外装ケースは、導電性材料で形成されたケース胴と、導電性材料で形成されたベゼルとを備えるが、本発明はこのような形態に限定されるものではなく、ベゼルを、ＡＢＳ等の樹脂もしくはセラミックまたはその他の非導電性材料で形成してもよい。
また、ケース胴及びベゼルを、導電性材料または非導電性材料のうち一方の同一材料により一体として形成するものであってもよい。
【００９３】
＜変形例８＞
上述した実施形態及び変形例において、電子時計は、ＧＰＳ衛星２００等の位置情報衛星からの電波を受信するが、位置情報衛星からの電波に限らず、例えば、無線タグ用の９００ＭＨｚ帯の電波を受信する電子時計であってもよい。また、例えば、Ｂｌｕｅｔｏｏｔｈ（登録商標）等の２．４ＧＨｚ帯の電波を受信する電子時計でもよい。
【００９４】
＜変形例９＞
上述した実施形態及び変形例では、腕時計である電子時計（電子時計１００等）を例示して説明したが、本発明は、これに限定されるものではない。例えば、本発明は、腕時計以外の時計、例えば、懐中時計や置き時計に適用することもできる。
また、電子時計以外の、受信した電波に基づいて情報を表示する電子機器（例えば携帯電話機やデジタルカメラ等）に対して、本発明を適用してもよい。
【符号の説明】
【００９５】
１１……文字板、１３……指針、２１……ダイヤルリング、２２……ソーラーパネル、２５……基板、２６……ＧＰＳ受信部、４０……アンテナ体、４１……誘電体、４２……アンテナ素子、４３……アンテナ基板、４５……信号線、４６……コネクタ、７０……駆動制御部、８０……表示機構収納部、８１……ケース胴、８２……ベゼル、８４……カバーガラス、８５……裏蓋、８６……バンド取付部、８７……バンド取付部、８７ａ……突出部、８７ｂ……突出部、９０……アンテナ収納部、９１……上面部、９２……底面部、９３……側部、１００……電子時計、１１０……バンド、２００……ＧＰＳ衛星。
【図１】
2014206424.tif 000003
【図２】
2014206424.tif 000004
【図３】
2014206424.tif 000005
【図４】
2014206424.tif 000006
【図５】
2014206424.tif 000007
【図６】
2014206424.tif 000008
【図７】
2014206424.tif 000009
【図８】
2014206424.tif 000010
【図９】
2014206424.tif 000011
【図１０】
2014206424.tif 000012
【図１１】
2014206424.tif 000013
【図１２】
2014206424.tif 000014
【図１３】
2014206424.tif 000015
【図１４】
2014206424.tif 000016
【図１５】
2014206424.tif 000017
【図１６】
2014206424.tif 000018